(57)【要約】【課題】男性用インナーボトムにおいて、前立ての生地が生殖器を摩擦や圧迫するという問題点を解決して、着心地の良いインナーボトムを得る。【解決手段】右前身頃１１と左前身頃１２との間に配置された１枚構造の前立て１３が、立体的な膨らみ形状とされて、膨らみ部２０を有する。生地は熱可塑性樹脂製の合成繊維にて構成され、膨らみ部２０は、前立て１３を構成する生地が熱プレス成型により立体的な膨らみ形状とされたものである。【選択図】図１
0003215806.tif 000002
【実用新案登録請求の範囲】
【請求項１】
右前身頃と左前身頃との間に配置された１枚構造の前立てが、立体的な膨らみ形状とされていることを特徴とする男性用インナーボトム。
【請求項２】
生地が熱可塑性樹脂製の合成繊維にて構成され、１枚構造の前立てを構成する生地が熱プレス成型による立体的な膨らみ形状とされていることを特徴とする請求項１記載の男性用インナーボトム。
【請求項３】
一枚構造の前立てが、一重生地または多重生地にて構成されていることを特徴とする請求項１または２記載の男性用インナーボトム。
【請求項４】
生地が丸編み生地と経編生地とのいずれかであることを特徴とする請求項１から３までのいずれか１項記載の男性用インナーボトム。
【請求項５】
１枚構造の前立ての右側部が右前身頃に接続され、前記前立ての左側部が左前身頃に接続され、前記前立ての上端部がウエストゴム部に接続され、前記前立ての底端部が、マチを介して、あるいは介さずに直接に、後身頃と接続されていることを特徴とする請求項１から４までのいずれか１項記載の男性用インナーボトム。
【請求項６】
ウエストゴム部はアウトゴム仕様とインゴム仕様とのいずれかであり、足口部分はフリーカット仕様とパイピング仕様と折り返し仕様とのいずれかであることを特徴とする請求項１から５までのいずれか１項記載の男性用インナーボトム。
【考案の詳細な説明】
【技術分野】
【０００１】
本考案は男性用インナーボトムに関する。
【背景技術】
【０００２】
男性用の一般的なインナーボトムは、人体の右側腰部の前面を覆うための右前身頃と、人体の左側腰部の前面を覆うための左前身頃と、右前身頃と左前身頃との間に配置されて生殖器を覆うための前立てとを有している（特許文献１）。現在市販されている男性用インナーボトムには、二つの種類がある。その一つ目は、２枚以上の複数枚の生地を縫い合わせ、縫製ステッチを通して、生殖器を収容するための立体的な態様の前立てを構成したものである。しかし、このようなインナーボトムは、ステッチ部が着用者の敏感な部位を摩擦するため、着心地が良いとは言えない。二つ目は、１枚の平らな生地により前立てを構成し、この前立てを左右の前身頃に縫い合わせたものである。このようなものであると、前立ての中央部にステッチ部が存在しないために、着用者の人体にステッチ部が接触することによる摩擦感が生じることが避けられる。しかし、平らな前立てでは男性の人体形状に適合しておらず、着用者の敏感な部位に圧迫感を与えることになる。
【先行技術文献】
【特許文献】
【０００３】
【特許文献１】特開２０１６−０５０３６７号公報
【考案の概要】
【考案が解決しようとする課題】
【０００４】
そこで本考案は、男性用インナーボトムにおいて、前立ての生地が生殖器を摩擦や圧迫するという問題点を解決して、着心地の良いインナーボトムを得ることを技術的課題とする。
【課題を解決するための手段】
【０００５】
上記の課題を解決するために、本考案の男性用インナーボトムは、右前身頃と左前身頃との間に配置された１枚構造の前立てが、立体的な膨らみ形状とされていることを特徴とする。
【０００６】
本考案の男性用インナーボトムによれば、生地が熱可塑性樹脂製の合成繊維にて構成され、１枚構造の前立てを構成する生地が熱プレス成型による立体的な膨らみ形状とされていることが好適である。
【０００７】
本考案の男性用インナーボトムによれば、１枚構造の前立てが、一重生地または多重生地にて構成されていることが好適である。
【０００８】
本考案の男性用インナーボトムによれば、生地が丸編み生地と経編生地とのいずれかであることが好適である。
【０００９】
本考案の男性用インナーボトムによれば、１枚構造の前立ての右側部が右前身頃に接続され、前記前立ての左側部が左前身頃に接続され、前記前立ての上端部がウエストゴム部に接続され、前記前立ての底端部が、マチを介して、あるいは介さずに直接に、後身頃と接続されていることが好適である。
【００１０】
本考案の男性用インナーボトムによれば、ウエストゴム部はアウトゴム仕様とインゴム仕様とのいずれかであり、足口部分はフリーカット仕様とパイピング仕様と折り返し仕様とのいずれかであることが好適である。
【考案の効果】
【００１１】
本考案の男性用インナーボトムによれば、１枚構造の前立てが立体的な膨らみ形状とされているため、従来のステッチ部を有する前立てにおいて生じる摩擦感の問題を解消することができるとともに、従来の容量不足の前立てにおいて生じる圧迫感の問題をも解消することができる。
【図面の簡単な説明】
【００１２】
【図１】本考案の実施の形態の男性用インナーボトムの正面図である。
【図２】図１のインナーボトムの背面図である。
【図３】図１におけるＩＩＩ−ＩＩＩ線に沿った断面図である。
【図４】図１におけるＩＶ−ＩＶ線に沿った断面図である。
【図５】図１のインナーボトムに用いられる前立ての生地を示す図である。
【図６】図１のインナーボトムに用いられる前後の身頃の生地を示す図である。
【図７】本考案の他の実施の形態の男性用インナーボトムの正面図である。
【図８】図７のインナーボトムの背面図である。
【図９】図７のインナーボトムに用いられる前立ての生地を示す図である。
【図１０】図７のインナーボトムに用いられる前後の身頃の生地を示す図である。
【考案を実施するための形態】
【００１３】
図１および図２に示す男性用インナーボトムは、人体の右側腰部の前面を覆うための右前身頃１１と、人体の左側腰部の前面を覆うための左前身頃１２と、右前身頃１１と左前身頃１２との間に配置されて生殖器を覆うための前立て１３と、腰部の背面すなわち臀部を覆うための後身頃１４と、ウエストゴム部１５とを有している。図示のインナーボトムは、排尿の際に性器を通すための前あき部は形成されていない。ただし、前あき部を形成した構成であっても差し支えない。
【００１４】
図１および図２に示すインナーボトムにおいては、前立て１３は、縫製ステッチにて複数枚の生地を縫い合わせたものではない１枚構造の生地にて構成されている。そして前立て１３は、その右側部１６が右前身頃１１に縫い合わせにより接続されるとともに、その左側部１７が左前身頃１２に縫い合わせにより接続されている。また前立て１３の上端部１８がウエストゴム部１５に縫い合わせにより接続され、前立て１３の底端部１９が、マチを介さずに直接に、後身頃１４と接続されている。底端部１９は、必要に応じて、図示を省略したマチを介して後身頃１４と接続されることもできる。前立て１３は、一重生地または二重などの多重生地で構成することができる。
【００１５】
図示のインナーボトムを構成する生地は、ポリエステルやポリアミドなどの熱可塑性樹脂を用いた合成繊維によって形成されている。そして生地は、前記した合成繊維を用いた丸編み生地や経編生地やその他の編生地とすることができる。
【００１６】
図１、３、４、５に示すように、１枚構造の前立て１３は、着用者の生殖器の形状に対応した立体的な山形の膨らみ形状とされている。２０は、その膨らみ部である。これにより、従来のステッチ部を有する前立てにおいて生じる摩擦感の問題を解消することができるとともに、従来の容量不足の前立てにおいて生じる圧迫感の問題をも解消することができる。
【００１７】
図示のインナーボトムすなわち前立て１３は、上記のように熱可塑性樹脂を用いた合成繊維によって形成されているため、膨らみ部２０は、金型を用いた熱プレス加工などによって容易に膨らみ形状に成型することができる。
【００１８】
図示の例では、図６に示すように、左右の前身頃１１、１２と、後身頃１４とは、１枚ものの生地にて構成されている。
【００１９】
図示のインナーボトムを製造するときには、図５および図６に示すように、製品のサイズに合わせた大きさに生地を裁断し、図５に示す前立て１３の生地については、上述の熱プレス加工などによって膨らみ部２０を形成する。次に図６に示される身頃１１、１２、１４の生地の端部と、たとえば二重生地とした前立て１３の端部とを挟んで１本針オーバーロックで縫い合わせる。その後、縫製品をひっくり返して前立て１３の生地を正面に向ける。さらに、縫い合わせたマチ端部分を身頃生地の後ろマチの部分と３本針で縫い合わせる。最後に、生地の上端をウエストゴム部１５に接続することで、図１および図２に示すインナーボトムが得られる。
【００２０】
ウエストゴム部１５は、アウトゴム仕様とインゴム仕様とのいずれかとすることができる。足口部分は、フリーカット仕様と、パイピング仕様と、折り返し仕様とのいずれかとすることができる。
【００２１】
図７〜図１０は、本考案の他の実施の形態の男性用インナーボトムを示す。図１〜図６はブリーフタイプのインナーボトムを示したが、図７〜図１０は、ボクサーパンツの形態のインナーボトムを示す。この図７〜図１０に示されるインナーボトムにおいても、同様に、前立て１３は、着用者の生殖器の形状に対応した立体的な山形の膨らみ形状とされており、膨らみ部２０を有している。
【００２２】
図７〜図１０に示されるインナーボトムの製造方法は、上記した図１〜図６に示されるインナーボトムの製造方法と同様である。
【符号の説明】
【００２３】
１１    右前身頃
１２    左前身頃
１３    前立て
２０    膨らみ部
【図１】
0003215806.tif 000003
【図２】
0003215806.tif 000004
【図３】
0003215806.tif 000005
【図４】
0003215806.tif 000006
【図５】
0003215806.tif 000007
【図６】
0003215806.tif 000008
【図７】
0003215806.tif 000009
【図８】
0003215806.tif 000010
【図９】
0003215806.tif 000011
【図１０】
0003215806.tif 000012